(57)【要約】【課題】防盗性の優れた自動販売機を提供すること。【解決手段】本体キャビネット２の前面開口部を閉塞する外扉３と、外扉３に設けられ、外扉３を閉塞状態で施錠する施錠装置４とを備えた自動販売機において、本体キャビネット２に取り付けた固定部１０と、固定部１０に回動可能に設けられ、施錠装置４を隠蔽するカバー１１と、カバー１１が施錠装置４を隠蔽した状態で施錠するカバー施錠装置１３とを備えるようにしたので、防盗性の優れた自動販売機を提供できる。【選択図】        図２
2005071173.tif 000002
【特許請求の範囲】
【請求項１】
本体キャビネットの前面開口部を閉塞する外扉と、
該外扉に設けられ、該外扉を閉塞状態で施錠する施錠装置と
を備えた自動販売機において、
前記本体キャビネットに取り付けた固定部と、
該固定部に回動可能に設けられ、前記施錠装置を隠蔽するカバー部材と、
該カバー部材が前記施錠装置を隠蔽した状態で施錠するカバー施錠装置と
を備えたことを特徴とする自動販売機。
【請求項２】
前記カバー部材に凹部を形成し、該凹部の内周面に前記カバー施錠装置を施錠するカバー施錠手段を配設したことを特徴とする請求項１に記載の自動販売機。
【請求項３】
前記カバー施錠装置を施錠した場合に、前記本体キャビネットと前記カバー部材とが密着することを特徴とする請求項１または２に記載の自動販売機。
【発明の詳細な説明】
【技術分野】
【０００１】
本発明は、自動販売機に関し、特に防盗性に優れた自動販売機に関するものである。
【背景技術】
【０００２】
本体キャビネットの前面開口部を閉塞する外扉と、外扉に設けられ、外扉を閉塞状態で施錠する施錠装置とを備えた自動販売機が広く知られている。本体キャビネットには、ロック部材が配設してあり、外扉には、本体キャビネットのロック部材に係合する施錠位置と係合を解除する解錠位置との間で移動可能なロックスライダと、キーシリンダの解錠操作によりポップアップして外扉の開放操作が可能となるポップアップ式のレバーハンドルと、レバーハンドルの回動に応じてロックスライダを施錠位置と解錠位置との間を移動させるロックレバーとを備えた施錠装置が配設してある。
【０００３】
また、防盗性を向上すべく、施錠装置の施錠状態において、ロックスライダの移動を禁止する補助施錠装置を配設した自動販売機が知られている（特許文献１参照）。
【０００４】
【特許文献１】特開平８−１１０９７７号公報
【発明の開示】
【発明が解決しようとする課題】
【０００５】
しかしながら、このような自動販売機によれば、施錠装置のキーシリンダと、補助施錠装置のキーシリンダとをドリルで破壊すれば、施錠位置から解錠位置へロックスライダの移動が可能となり、外扉を開放することができる。したがって、犯罪が悪質化する昨今では、防盗対策としては十分ではない。
【０００６】
本発明は、上記実情に鑑みて、より防盗性の優れた自動販売機を提供することを目的とする。
【課題を解決するための手段】
【０００７】
上記の目的を達成するために、本発明の請求項１に係る自動販売機は、本体キャビネットの前面開口部を閉塞する外扉と、該外扉に設けられ、該外扉を閉塞状態で施錠する施錠装置とを備えた自動販売機において、前記本体キャビネットに取り付けた固定部と、該固定部に回動可能に設けられ、前記施錠装置を隠蔽するカバー部材と、該カバー部材が前記施錠装置を隠蔽した状態で施錠するカバー施錠装置とを備えたことを特徴とする。
【０００８】
また、本発明の請求項２に係る自動販売機は、上記請求項１において、前記カバー部材に凹部を形成し、該凹部の内周面に前記カバー施錠装置を施錠するカバー施錠手段を配設したことを特徴とする。
【０００９】
また、本発明の請求項３に係る自動販売機は、上記請求項１または２において、前記カバー施錠装置を施錠した場合に、前記本体キャビネットと前記カバー部材とが密着することを特徴とする。
【発明の効果】
【００１０】
本発明にかかる自動販売機は、施錠装置を隠蔽するカバー部材と、カバー部材が施錠装置を隠蔽した状態で施錠するカバー施錠装置とを備えたので、施錠装置を視認できず、施錠装置が直ちに破壊されることがなく、防盗性に優れるという効果を奏する。
【００１１】
また、カバー部材に形成した凹部の内周面にカバー施錠装置を施錠する施錠手段を配設したので、カバー施錠装置の配設位置を判りにくくするとともに、ドリルによるカバー施錠装置の破壊をも困難にするので、防盗性に優れるという効果を奏する。
【００１２】
また、カバー施錠装置を施錠した場合に、前記本体キャビネットと前記カバー部材とが密着するので、バール等の工具を差し込むことによるカバー部材の破壊を防止でき、防盗性に優れるという効果を奏する。
【発明を実施するための最良の形態】
【００１３】
以下に添付図面を参照して、本発明に係る自動販売機の好適な実施例を詳細に説明する。なお、この実施例によりこの発明が限定されるものではない。
【実施例】
【００１４】
図１は本発明の実施例に係る自動販売機の全体構成を示す図、図２は施錠装置と補助施錠装置とを示す部分拡大図、図３はカバーの外観拡大図、図４はキー施錠装置を示す拡大図、図５はカバー施錠装置の施錠、解錠を説明する図である。この自動販売機１は、内部に商品を収容する本体キャビネット２と、本体キャビネット２の左側縁部に支承され、本体キャビネット２の前面開口部を閉塞する外扉３とを備えている。
【００１５】
本体キャビネット２の右側縁部にはロック部材（図示せず）が配設してあり、外扉３にはロック部材と係合し、外扉３を閉塞状態で施錠する施錠装置４が設けてある。施錠装置４は、ロックスライダ（図示せず）と、レバーハンドル５と、ロックレバー（図示せず）とを備えている。ロックスライダは、外扉３の内壁面に設けてあり、本体キャビネット２のロック部材に係合する施錠位置と係合を解除する解錠位置との間で移動可能である。レバーハンドル５は、外扉３の外壁面であって、上下方向ほぼ中央の右縁部に設けてある。レバーハンドル５は、ポップアップ式のものであり、レバーハンドル５の回転軸には、キーシリンダ６が内蔵してある。レバーハンドル５は、キーシリンダ６の解錠操作によりレバーハンドル５をポップアップさせて外扉３の開放操作を可能とし、ポップアップしたレバーハンドル５を押し込むことによりキーシリンダ６を施錠する。ロックレバーは、レバーハンドル５の回転軸とロックスライダとを連結するものであり、レバーハンドル５を開操作すると、ロックレバーを介してロックスライダが施錠位置から解錠位置に移動し、閉操作すると、ロックレバーを介してロックスライダが解錠位置から施錠位置に移動する。
【００１６】
施錠装置４の下方には、補助施錠装置７が設けてある。補助施錠装置７は、施錠装置４が施錠状態にある場合に、ロックスライダの移動を禁止するものであり、補助キーシリンダ８と、補助キーレバー（図示せず）とを有している。補助キーシリンダ８はレバーハンドル５の下方に設けてあり、補助キーシリンダ８の回転軸には補助キーレバーが取り付けてある。補助キーレバーは、補助キーシリンダ８の回転軸とともに回動し、施錠位置にあるロックスライダの移動を禁止する補助施錠位置とこの移動禁止を解除する補助解錠位置との間で移動可能である。
【００１７】
また、本体キャビネット２には、その内壁面を貫通するネジ（図示せず）によって右側面に固定部１０が取り付けてある。固定部１０には、略半円形のカバー（カバー部材）１１がヒンジ構造により取り付けてあり、上述した施錠装置４のレバーハンドル５と補助キーシリンダ８とを隠蔽する隠蔽位置とレバーハンドル５と補助キーシリンダ８とを露出する露出位置との間を揺動可能である。
【００１８】
図３に示すように、カバー１１の外表面の略中央部には、凹部１１ａが形成してある。凹部１１ａは、カバー１１の開閉に際して取手として機能する。
【００１９】
また、図２に示すように、外扉３の外壁面には馬蹄形状をしたカバープレート１２が固着してある。カバープレート１２の外周面１２ａは、カバー１１が隠蔽位置にある場合にカバー１１の内壁面１１ｂと密着する。カバープレート１２には、カバーロック部１２ｂが起立して形成してあり、カバーロック部１２ｂには、係止口１２ｃが形成してある。
【００２０】
カバー１１の内部、すなわち、カバー１１が隠蔽位置にある場合に本体キャビネット２とカバー１１とにより画成される空間には、カバー施錠装置１３が配設してある。カバー施錠装置１３は、図４に示すように、スライドプレート１４と、カバーキーレバー１５と、カバーキーシリンダ（カバー施錠手段）１６と、プレート１７とを有している。スライドプレート１４は、略矩形の枠体であり、図３中右方には上述した係止口１２ｃに挿入可能な係止部１４ａが形成してある。スライドプレート１４は、カバー１１とプレート１７との間に挟持され、係止部１４ａが係止口１２ｃに挿入されてカバー１１を施錠するカバー施錠位置（図５（ｂ））と、係止部１４ａが係止口１２ｃから抜去されてカバー１１を解錠するカバー解錠位置（図５（ａ））との間で移動可能である。
【００２１】
カバーキーシリンダ１６は、カバー１１の外表面に形成した凹部１１ａの内周面１１ｃ、より詳細には、図３に示すように、上周面に鍵穴１６ａが位置するように取り付けてある。
【００２２】
カバーキーレバー１５は、カバーキーシリンダ１６とスライドプレート１４とを連結するものであり、図４に示すように、カバーキーシリンダ１６の回転軸に取り付けてある。カバーキーレバー１５の延設した端部にはピン１５ａが設けてあり、このピン１５ａはスライドプレート１４に形成した係合部１４ｂと係合している。
【００２３】
つぎに、このように構成した本発明の実施例に係る自動販売機１の外扉３を開放する手順を説明する。
【００２４】
まず、カバーキーシリンダ１６を解錠操作し、カバーキーシリンダ１６の回転軸とカバーキーレバー１５を回動させて、図５（ａ）に示すように、スライドプレート１４を施錠位置から解錠位置に移動する。カバー施錠装置１３は解錠状態となるので、カバー１１は隠蔽位置と露出位置との間で揺動可能になる。つぎに、カバー１１を露出位置に移動させて、補助施錠装置７を解錠操作する。
【００２５】
補助施錠装置７を解錠操作、すなわち、補助キーシリンダ８を解錠操作すると、補助キーシリンダ８の回転軸と補助キーレバーとが回動し、補助キーレバーが補助施錠位置から補助解錠位置に移動する。補助施錠装置７は解錠状態となるので、ロックスライダは施錠位置と解錠位置との間を移動可能になる。つぎに施錠装置４を解錠操作する。
【００２６】
施錠装置４を解錠操作、すなわち、キーシリンダ６を解錠操作すると、レバーハンドル５がポップアップして、レバーハンドル５の開操作が可能となる。レバーハンドル５を開操作すると、ロックレバーを介してロックスライダが解錠位置に移動して外扉３が開放可能となり、外扉３の開放手順が終了する。
【００２７】
つぎに、このように構成した本発明の実施例に係る自動販売機１の外扉３を閉塞する手順を説明する。
【００２８】
まず、外扉３を閉塞状態にして、レバーハンドル５を閉操作する。レバーハンドル５を閉操作すると、ロックレバーを介してロックスライダが解錠位置から施錠位置に移動して、外扉３が閉塞する。つぎに、レバーハンドル５を押し込み操作する。レバーハンドル５を押し込み操作すると、キーシリンダ６は解錠状態から施錠状態に移行し、施錠装置４は施錠される。このため、鍵を使わないで、外扉３を開放操作できなくなる。
【００２９】
つぎに、補助施錠装置７を施錠操作する。すなわち、補助キーシリンダ８を施錠操作して、補助キーシリンダ８の回転軸とキーレバーとを回動させて、キーレバーを補助解錠位置から補助施錠位置に移動させる。補助施錠装置７は、解錠状態から施錠状態に移行するので、ロックスライダは施錠位置と解錠位置との間で移動が禁止される。
【００３０】
つぎに、カバー１１を露出位置から隠蔽位置に移動させて、カバー施錠装置１３を施錠操作する。すなわち、カバーキーシリンダ１６を施錠操作し、カバーキーシリンダ１６の回転軸とカバーキーレバー１５とを回動させて、図５（ｂ）に示すように、スライドプレート１４をカバー解錠位置からカバー施錠位置に移動させる。カバー施錠装置１３は施錠状態となるので、カバー１１は隠蔽位置から露出位置に移動が禁止され、外扉３の閉塞手順が終了する。
【００３１】
以上のように、本発明の実施例に係る自動販売機１の外扉３が閉塞されると、図６−１および図６−２に示すように、レバーハンドル５と、補助キーシリンダ８とが外部から視認できなくなるので、犯罪心理を抑制し、防盗性が向上する。
【００３２】
また、カバー施錠装置１３によりカバー１１が施錠されるので、カバー１１が隠蔽位置から開放位置に揺動することがなく、レバーハンドル５のキーシリンダ６、補助施錠装置７の補助キーシリンダ８をドリル等により直ちに破壊できず、防盗性が向上する。
【００３３】
また、カバー施錠装置１３により、カバー１１が施錠されている場合に、外扉３とカバー１１とが密着しているので、図６−１に示すように、外扉３とカバー１１との間にバール等の工具を差し込むことができず、防盗性が向上する。
【００３４】
また、カバーキーシリンダ１６をカバー１１に形成した凹部１１ａの内周面１１ｃに鍵穴が位置するように配設したので、外部から視認しにくく、また、ドリルによってカバー施錠装置１３を破壊することは困難であり、防盗性が向上する。
【産業上の利用可能性】
【００３５】
以上のように、本発明にかかる自動販売機は、防盗性に優れ、特に、屋外に設置する自動販売機に適している。
【図面の簡単な説明】
【００３６】
【図１】本発明の実施例に係る自動販売機の全体構成を示す正面図である。
【図２】施錠装置と補助施錠装置とを示す部分拡大図である。
【図３】カバーの外観拡大図である。
【図４】キー施錠装置を示す拡大図である。
【図５】カバー施錠装置の施錠、解錠を説明する図である。
【図６−１】カバー部を拡大した正面図である。
【図６−２】カバー部を拡大した上面図である。
【符号の説明】
【００３７】
１    自動販売機
２    本体キャビネット
３    外扉
４    施錠装置
５    レバーハンドル
６    キーシリンダ
７    補助施錠装置
８    補助キーシリンダ
１０    固定部
１１    カバー
１１ａ  凹部
１１ｂ  内壁面
１１ｃ  内周面
１２    カバープレート
１２ａ  外周面
１２ｂ  カバーロック部
１２ｃ  係止口
１３    カバー施錠装置
１４    スライドプレート
１４ａ  係止部
１４ｂ  係合部
１５    カバーキーレバー
１５ａ  ピン
１６    カバーキーシリンダ
１６ａ  鍵穴
１７    プレート
【図１】
2005071173.tif 000003
【図２】
2005071173.tif 000004
【図３】
2005071173.tif 000005
【図４】
2005071173.tif 000006
【図５】
2005071173.tif 000007
【図６−１】
2005071173.tif 000008
【図６−２】
2005071173.tif 000009